(57)【要約】【課題】放送波を正常に多段中継することが可能な放送中継機及び放送中継方法を提供する。【解決手段】セグメント合成部１６は、第一の中継対象の放送データを、当該放送データが放送波受信部１３での受信時に載せられていたセグメントと中央セグメントに対して対称の位置にあるセグメントに載せ、第二の中継対象の放送データを、第一の中継対象の放送データがセグメント合成部１３によって載せられたセグメントに隣接する周波数軸上中央に近いセグメントに載せることを特徴とする放送中継機１０。【選択図】図２
2015046855.tif 000002
【特許請求の範囲】
【請求項１】
ワンセグ放送をすると共に、中継対象の放送データを中央セグメント以外のセグメントに載せて中継放送する放送中継機に於いて、
前記ワンセグ放送及び前記中継放送を含んだ地上デジタル放送の放送波を受信する放送波受信部と、
前記放送波受信部で受信した放送波の所定のセグメントに載せられている第一の中継対象の放送データを抽出するセグメント抽出部と、
前記第一の中継対象の放送データ、及び自放送中継機で追加する第二の中継対象の放送データ、及び前記ワンセグ放送の放送データを、１周波数チャンネル内のセグメントに載せるセグメント合成部と、
前記セグメント合成部で各前記放送データが載せられた１周波数チャンネル内のセグメントを放送する放送波送信部と
を備え、
前記セグメント合成部は、前記第一の中継対象の放送データを、当該放送データが載せられていたセグメントと中央セグメントに対して対称の位置にある第一のセグメントに載せ替え、前記第二の中継対象の放送データを、前記第一のセグメントに隣接する周波数軸上中央に近い第二のセグメントに載せることを特徴とする放送中継機。
【請求項２】
ワンセグ放送をすると共に、中継対象の放送データを中央セグメント以外のセグメントに載せて中継放送する放送中継方法に於いて、
前記ワンセグ放送及び前記中継放送を含んだ地上デジタル放送の放送波を受信する放送波受信ステップと、
前記放送波受信ステップで受信した放送波の所定のセグメントに載せられている第一の中継対象の放送データを抽出するセグメント抽出ステップと、
前記第一の中継対象の放送データ、及び自放送中継方法で追加する第二の中継対象の放送データ、及び前記ワンセグ放送の放送データを、１周波数チャンネル内のセグメントに載せるセグメント合成ステップと、
前記セグメント合成ステップで各前記放送データが載せられた１周波数チャンネル内のセグメントを放送する放送波送信ステップと
を含み、
前記セグメント合成ステップは、前記第一の中継対象の放送データを、当該放送データが載せられていたセグメントと中央セグメントに対して対称の位置にある第一のセグメントに載せ替え、前記第二の中継対象の放送データを、前記第一のセグメントに隣接する周波数軸上中央に近い第二のセグメントに載せることを特徴とする放送中継方法。
【発明の詳細な説明】
【技術分野】
【０００１】
本発明は、１周波数チャンネル中の複数のセグメントに放送データを載せた放送波を中継する放送中継機及び放送中継方法に関する。
【背景技術】
【０００２】
地上デジタル放送の放送波を、同じ周波数チャンネルを使用して中継する場合、中継のために送受信する放送波が互いに干渉し、他の中継機が中継放送する放送波の受信が困難となることがある。そこで、他中継機が中継対象の放送データを載せているセグメントと異なるセグメントに中継対象の放送データを載せ変えて中継放送することで干渉を回避し、他中継機の放送波を正常に受信することを目的とした中継機が提案されている（例えば、特許文献１）。
【先行技術文献】
【特許文献】
【０００３】
【特許文献１】特開2013-34191号公報
【発明の概要】
【発明が解決しようとする課題】
【０００４】
しかし、特許文献１記載の技術の様に、他中継機が中継対象の放送データを載せるセグメントと自中継機が中継対象の放送データを載せるセグメントを異ならしたとしても、両者のセグメントが周波数軸上で近接していると、他中継機が中継対象の放送データを載せるセグメントの抽出が困難となる場合がある。また、多段中継において、中継するごとに該中継機により新たな中継対象の放送データを載せたセグメントを追加する場合、この追加するセグメントと他中継機が中継対象の放送データを載せるセグメントが周波数軸上で近接していると、前記と同様、他中継機が放送データを載せるセグメントの抽出が困難となる場合がある。
【０００５】
本発明は、上記の従来の問題を鑑みてなされたもので、中継のために送受信する放送波
の互いの干渉を出来るだけ防止し、目的とするセグメントの抽出を出来るだけ容易にすることで、各放送中継機に於いて、新たな中継対象の放送データを載せたセグメントを追加しながら、放送波を正常に多段中継することが可能な放送中継機及び放送中継方法を提供することを目的とする。
【課題を解決するための手段】
【０００６】
上記課題を解決するために本発明は、下記の放送中継機及び放送中継方法を提供するものである。
（１）ワンセグ放送をすると共に、中継対象の放送データを中央セグメント以外のセグメントに載せて中継放送する放送中継機に於いて、
前記ワンセグ放送及び前記中継放送を含んだ地上デジタル放送の放送波を受信する放送波受信部と、
前記放送波受信部で受信した放送波の所定のセグメントに載せられている第一の中継対象の放送データを抽出するセグメント抽出部と、
前記第一の中継対象の放送データ、及び自放送中継機で追加する第二の中継対象の放送データ、及び前記ワンセグ放送の放送データを、１周波数チャンネル内のセグメントに載せるセグメント合成部と、
前記セグメント合成部で各前記放送データが載せられた１周波数チャンネル内のセグメントを放送する放送波送信部と
を備え、
前記セグメント合成部は、前記第一の中継対象の放送データを、当該放送データが載せられていたセグメントと中央セグメントに対して対称の位置にある第一のセグメントに載せ替え、前記第二の中継対象の放送データを、前記第一のセグメントに隣接する周波数軸上中央に近い第二のセグメントに載せることを特徴とする放送中継機。
（２）ワンセグ放送をすると共に、中継対象の放送データを中央セグメント以外のセグメントに載せて中継放送する放送中継方法に於いて、
前記ワンセグ放送及び前記中継放送を含んだ地上デジタル放送の放送波を受信する放送波受信ステップと、
前記放送波受信ステップで受信した放送波の所定のセグメントに載せられている第一の中継対象の放送データを抽出するセグメント抽出ステップと、
前記第一の中継対象の放送データ、及び自放送中継方法で追加する第二の中継対象の放送データ、及び前記ワンセグ放送の放送データを、１周波数チャンネル内のセグメントに載せるセグメント合成ステップと、
前記セグメント合成ステップで各前記放送データが載せられた１周波数チャンネル内のセグメントを放送する放送波送信ステップと
を含み、
前記セグメント合成ステップは、前記第一の中継対象の放送データを、当該放送データが載せられていたセグメントと中央セグメントに対して対称の位置にある第一のセグメントに載せ替え、前記第二の中継対象の放送データを、前記第一のセグメントに隣接する周波数軸上中央に近い第二のセグメントに載せることを特徴とする放送中継方法。
【発明の効果】
【０００７】
本発明によれば、中継のために送受信する放送波の互いの干渉を出来るだけ防止し、目的とするセグメントの抽出を出来るだけ容易にすることで、各放送中継機に於いて、新たな中継対象の放送データを載せたセグメントを追加しながら、放送波を正常に多段中継することが可能となる。
【図面の簡単な説明】
【０００８】
【図１】防災情報放送システムの例を示す図である。
【図２】本発明の実施例に係る放送中継機の構成を示す図である。
【図３】１周波数チャンネル内のセグメント番号を示す図である。
【図４】セグメント配置処理に於ける各セグメントの対応関係を説明する図である。
【図５】送信する放送波のセグメント配置の一例を示す図である。
【図６】受信する放送波のセグメント配置の一例を示す図である。
【図７】集中制御機の構成を示す図である。
【図８】自動集中制御機の構成を示す図である。
【図９】決定部３６が予め記憶している決定テーブルの例を示す図である。
【図１０】決定部３６が予め記憶している決定テーブルの例を示す図である。
【図１１】本発明の実施例２に係る放送中継機の構成を示す図である。
【図１２】本発明の実施例２に係る集中制御機の構成を示す図である。
【発明を実施するための形態】
【０００９】
[実施例１]
本発明を具体的に説明する前に、まず概要を述べる。
【００１０】
図１は、本発明の実施例に係る放送中継機１０を用い、地上デジタル放送のワンセグ型エリア放送を利用した、Ａ市の防災情報放送システムの例である。
【００１１】
Ａ市の各避難所Ａ〜Ｃには放送中継機１０ａ〜ｃが設置されている。またＡ市の市役所には、図示しないＩＰネットワークで各放送中継機１０ａ〜ｃと接続された集中制御機２０が設置されている。集中制御機２０はＩＰネットワークを介して、各放送中継機１０ａ〜ｃの各種動作を制御することができる。また、集中制御機２０はＩＰネットワークを介して、各放送中継機１０ａ〜ｃに対して放送データを送信し、各放送中継機１０ａ〜ｃで該放送データを放送させることもできる。例えば、集中制御機２０のオペレータは、集中制御機２０に蓄積している複数の放送データから、被害状況に応じた最適な放送データを選択し、それを各放送中継機１０ａ〜ｃで放送させることができる。なお、各放送中継機１０ａ〜ｃに対して、それぞれ異なった放送データを放送させることもできる。
【００１２】
放送中継機１０ａ〜ｃで行われるワンセグ型エリア放送は、１周波数チャンネルに含まれる１３セグメント中の、周波数軸上中央の１セグメント（以下、中央セグメント）を使用して行なわれる。従って、このワンセグ型エリア放送は、一般に普及している携帯電話等のワンセグ放送対応受信機で視聴することができる。市民は自身が所有する携帯電話等のワンセグ放送対応受信機で、ワンセグ型エリア放送を受信し、集中制御機２０のオペレータにより選択された適切な放送データ（避難情報等）を視聴することができる。
【００１３】
なお、各放送中継機１０a〜ｃは、Ａ市が当局に申請し認可された例えば周波数チャンネル３０ｃｈの、１ｃｈのみで放送している。
【００１４】
また、Ａ市の防災情報放送システムは、以下説明する特徴を有する。
【００１５】
図１の様に、各放送中継機１０ａ〜ｃにはビデオカメラ１９ａ〜ｃが接続され、各放送中継機１０は、ビデオカメラ１９で撮影された映像/音声を、自身が行っているワンセグ型エリア放送と同じ周波数チャンネル内の、中央セグメント以外のセグメントで放送する。この中央セグメント以外のセグメントの放送データを他の放送中継機１０が受信し順次中継し、最終的に市役所に設置した集中制御機２０が受信する。この順次中継の様子を具体的に説明する。放送中継機１０aは、自身に接続されたビデオカメラ１９ａの映像/音声を中央セグメント以外のセグメントで放送する。放送中継機１０ｂは、放送中継機１０aの放送波を受信し、これに含まれるビデオカメラ１９ａの映像/音声の放送データと、自身に接続されたビデオカメラ１９ｂの映像/音声とを、それぞれ中央セグメント以外のセグメントで放送する。放送中継機１０ｃは、放送中継機１０ｂの放送波を受信し、これに含まれるビデオカメラ１９ａ及び１１ｂの映像/音声の放送データと、自身に接続されたビデオカメラ１９ｃの映像/音声とを、それぞれ中央セグメント以外のセグメントで放送する。
【００１６】
最後に、市役所に設置した集中制御機２０は、放送中継機１０ｃの放送波を受信する。集中制御機２０は、受信した放送波に含まれる中央セグメント以外のセグメントをそれぞれ復調及びデコードし、各放送中継機１０ａ〜ｃに接続されたビデオカメラの映像/音声を図示しないモニタ及びスピーカ等の提示機に提示する。集中制御機２０のオペレータは提示された各ビデオカメラ１９ａ〜ｃの映像/音声を視聴し、各ビデオカメラの映像/音声を基に各避難所の被害状況等を把握することができる。集中制御機２０のオペレータは把握した被害状況に応じて、前述の通り最適な放送データが各放送中継機１０ａ〜ｃで放送されるように集中制御機２０を操作する。
【００１７】
なお、図１に示すＡ市の防災情報放送システムの例では、ワンセグ型エリア放送の放送波の受信可能範囲の関係で、放送中継機１０ａの放送は、放送中継機１０ｂの指向性受信アンテナ１２ｂでしか受信できない。また同様に、放送中継機１０ｂの放送は放送中継機１０ｃの指向性受信アンテナ１２ｃでしか、放送中継機１０ｃの放送は集中制御機２０の指向性受信アンテナ２１でしか受信できない。この事情により、各放送中継機１０ａ〜ｃに接続されたビデオカメラ１９ａ〜ｃの映像/音声を集中制御機２０に送るには、前述の通り放送中継機１０ａ→１０ｂ→１０ｃの順に中継する必要がある。
【００１８】
次に、放送中継機１０について詳細に説明する。
【００１９】
図２は、本発明の実施例に係る放送中継機１０の構成を示す。
【００２０】
放送中継機１０は、通信I/F部１１、受信アンテナ１２、放送波受信部１３、セグメント抽出部１４、エンコード部１５、セグメント合成部１６、放送波送信部１７、送信アンテナ１８を含んで構成される。
【００２１】
通信I/F部１１は、ＬＡＮ（Local Area Network）やInternet回線等の通信回線と接続され、同通信回線に接続された集中制御機２０から送信された放送データを受信する。また、この受信した放送データをセグメント合成部１６に送信する。
【００２２】
受信アンテナ１２は、地上デジタル放送の放送波を受信するための指向性を持ったアンテナであり、受信した放送波を放送波受信部１３に送信する。
【００２３】
放送波受信部１３は、受信アンテナ１２から送信された放送波から、予め設定された例えば周波数チャンネル３０ｃｈの放送波を、セグメント抽出部１４に送信する。なお、この周波数チャンネルの設定は、図示しない操作部を介して、オペレータにより任意のチャンネルに設定される等が考えられる。
【００２４】
セグメント抽出部１４は、放送波受信部１３から送信された放送波の内、図示しない操作部を介して予め設定されたセグメント番号のセグメントを抽出し、セグメント合成部１６に送信する。このセグメント番号は複数設定されることもある。また、このセグメント番号は１つも設定されないこともある。
【００２５】
エンコード部１５は、ビデオカメラ等とＨＤＭＩ(High-Definition Multimedia Interface)ケーブル等で接続され、ビデオカメラで撮影された映像／音声信号を受信する。また、受信した映像／音声信号をエンコードした放送データをセグメント合成部１６に送信する。
【００２６】
セグメント合成部１６は、通信I/F部１１、セグメント抽出部１４及びエンコード部１５から送信された各放送データを、下記（１）〜（３）で説明する規則に従い、１周波数チャンネル内の各セグメントに配置し、放送波送信部１７に送信する。
（１）通信I/F部１１から送信された放送データは、中央セグメントに配置する。中央セグメントに配置し放送することで、前述の通り、市民は自身が所有する携帯電話等のワンセグ放送対応受信機でこの放送データを視聴することができる。
（２）セグメント抽出部１４から送信された放送データは、該放送データが放送時に載せられていたセグメントと中央セグメントに対して対称のセグメントに配置する。この配置について図３、図４を用いて具体的に説明する。図３は、地上デジタル放送の１周波数チャンネル内の１３セグメントの、各セグメントのセグメント番号を示した図である。図４は、図３のセグメント番号に基づく、該放送データが放送時に載せられていたセグメント番号と、セグメント合成部１６で配置するセグメント番号の対応を示した図である。
（３）エンコード部１５から送信された放送データは、上記（２）の規則に基づき配置されたセグメントに隣接する周波数軸上中央に近いセグメンに配置する。例えば、セグメント抽出部１４から送信された放送データがセグメント番号１０及び１２のセグメントに配置された場合は、エンコード部１５から送信された放送データは、セグメント番号８のセグメントに配置される。また、上記（２）の規則に基づき配置されたセグメントが無い場合は、中央セグメントから最も離れたセグメント（セグメント番号１１又は１２）に配置する。
【００２７】
放送波送信部１７は、セグメント合成部１６から送信された放送データを変調し、予め設定された例えば周波数チャンネル３０ｃｈで送信アンテナ１８を介して放送する。なお、放送する周波数チャンネルの設定は、放送波受信部１３と同様、図示しない操作部を介して、放送中継機１０のオペレータにより任意のチャンネルに設定される等が考えられる。
【００２８】
送信アンテナ１８は、地上デジタル放送の放送波を送信するための無指向性のアンテナであり、放送波送信部１７で変調された信号を放送する。
【００２９】
図１のＡ市の防災情報放送システムの例に於いて、各放送中継機１０ａ〜ｃが受信及び放送する放送波のセグメント配置の様子を以下具体的に説明する。
【００３０】
まず、各放送中継機１０ａ〜ｃで放送を開始する前に、各放送中継機１０ａ〜ｃのセグメント抽出部１４で抽出するセグメント番号が該防災情報放送システムの管理者により設定される。具体的には、放送中継機１０ａには、１つのセグメント番号も設定されない。放送中継機１０ｂには、セグメント番号１２が設定される。放送中継機１０ｃには、セグメント番号９と１１が設定される。
【００３１】
上記の設定後、放送中継機１０ａは、上述の規則（１）に基づき、集中制御機２０から送信された放送データを中央セグメントに配置する。また、放送中継機１０ａでは、上述の設定により、セグメント抽出部１４からセグメント合成部１６には放送データが送信されないため、上述の規則（２）に基づき配置されるセグメントはない。また、放送中継機１０ａは、上述の規則（３）に基づき、エンコード部１５から送信された放送データを中央セグメントから最も離れたセグメント（セグメント番号１２）に配置する。以上より、放送中継機１０ａが放送するセグメント配置は、図５(ａ)の様になる。
【００３２】
放送中継機１０ｂは、上述の規則（１）に基づき、集中制御機２０から送信された放送データを中央セグメントに配置する。また、放送中継機１０ｂは、放送中継機１０ａから図５(ａ)に示す放送を受信し、上述の設定によりセグメント番号１２のセグメントを抽出し、セグメント合成部１６で図４で示した対応に基づきセグメント番号１１のセグメントとして配置する。また、放送中継機１０ｂは、上述の規則（３）に基づき、エンコード部１５から送信された放送データを、セグメント番号１１に隣接する周波数軸上中央に近いセグメント（セグメント番号９）に配置する。以上より、放送中継機１０ａが放送するセグメント配置は、図５(ｂ)の様になる。
【００３３】
放送中継機１０ｃは、上述の規則（１）に基づき、集中制御機２０から送信された放送データを中央セグメントに配置する。また、放送中継機１０ｃは、放送中継機１０ｂから図５(ｂ)に示す放送を受信し、上述の設定によりセグメント番号９及び１１のセグメントを抽出し、セグメント合成部１６で図４で示した対応に基づきセグメント番号１０及び１２に配置する。また、放送中継機１０ｃは、上述の規則（３）に基づき、エンコード部１５から送信された放送データを、セグメント番号１０及び１２に隣接する周波数軸上中央に近いセグメント（セグメント番号８）に配置する。以上より、放送中継機１０ｃが放送するセグメント配置は、図５(ｃ)の様になる。
【００３４】
集中制御機２０は、放送中継機１０ｃから図５(ｃ)に示す放送を受信する。
【００３５】
なお、ここで放送中継機１０ｃでは、放送中継機１０ｂからの放送波を受信すると共に、自身が放送する放送波も回り込み等により受信することになる。従って放送中継機１０ｃのセグメント抽出部１４には、図６に示すようなセグメント配置の放送波が送信されることになる。中央セグメント以外のセグメントに関しては、放送中継機１０ｂの放送波で使用しているセグメント（セグメント番号９、１１）と、放送中継機１０ｃの放送波で使用しているセグメント（セグメント番号８，１０、１２）は異なっているため混信しない。また、放送中継機１０ｂの放送波で使用しているセグメント（セグメント番号９、１１）と、放送中継機１０ｃの放送波で使用しているセグメント（セグメント番号８，１０、１２）は、１周波数チャンネル（１３セグメント）内で周波数軸上可能な限りは離れている。従って、放送中継機１０ｂの放送波で使用しているセグメント（セグメント番号９、１１）を、放送中継機１０ｃのセグメント抽出部１４で抽出する際、放送中継機１０ｃの放送波で使用しているセグメント（セグメント番号８，１０、１２）による干渉を最も受けにくい。  同様に、放送中継機１０ａ〜ｂに於いても、自身が放送する放送波の回り込み等による干渉を最も受けにくいこととなる。
【００３６】
なお、Ａ市の防災情報放送システムで使用される放送中継機１０を増やし、セグメント抽出部１４で抽出するセグメント番号について上記説明と同様な設定を行い、同様に放送を中継するようにした場合に於いても、各放送中継機で前述の放送中継機１０ｃと同様に干渉を最も受けにくいことになる。なお、本発明では、１周波数チャンネル中のセグメント数が１３の場合は、最大で６機の放送中継機１０で多段中継を行うことができる。
【００３７】
以上の説明の通り、本実施例によれば、自放送中継機が放送する放送波の回り込み等による干渉を出来るだけ防止することで、中継する放送データ(セグメント)を追加しつつ、多段中継することができる。
【００３８】
以上の説明では、中継対象の放送データは、各放送中継機に接続されたビデオカメラ１９a〜ｃの映像/音声をエンコードした放送データとしたが、中継対象の放送データは、これに限られるものでは無い。
【００３９】
次に、集中制御機２０について説明する。
【００４０】
図７は、集中制御機２０の構成を示す。
【００４１】
集中制御機２０は、受信アンテナ２１、放送波受信部２２、セグメント分離部２３、解読部２４、提示部２５、操作部２６、制御部２７、放送データ蓄積部２８、通信I/F部２９を含んで構成される。
【００４２】
受信アンテナ２１は、地上デジタル放送の放送波を受信するための指向性を持ったアンテナであり、受信した放送波を放送波受信部２２に送信する。
【００４３】
放送波受信部２２は、受信アンテナ２１から送信された放送波から、予め設定された例えば周波数チャンネル３０ｃｈの放送波を、セグメント分離部２３に送信する。なお、周波数チャンネルの設定は、図示しない設定部を介してオペレータにより任意のチャンネルに設定される等が考えられる。
【００４４】
セグメント分離部２３は、放送波受信部２２から送信された放送波から、予め設定されたセグメント番号８、１０、１２のセグメントを分離し、分離した各セグメントに載っている放送データを、解読部２４に送信する。なお、前記のセグメント番号の設定は、図示しない設定部を介してオペレータにより任意のセグメント番号に設定される。
【００４５】
解読部２４は、セグメント分離部２３から送信された放送データを解読し、解読した内容を提示部２５に送信する。
【００４６】
提示部２５は、モニタ及びスピーカ等で構成され、解読部２４から送信された解読内容をモニタ及びスピーカ等を介してオペレータに提示する。
【００４７】
操作部２６は、オペレータからの操作を受け付け、操作内容を制御部２７に送信する。
【００４８】
制御部２７は、操作部２６からの操作内容に基づき、放送データ蓄積部２８に蓄積されている複数の放送データ中の操作部２６で指定された放送データの情報を放送データ蓄積部２８に送信すると共に、その指定された放送データの送信先となる放送中継機１０の情報を通信I/F部２９に送信する。
【００４９】
放送データ蓄積部２８は、複数の放送データを蓄積する。また、制御部２７から送信された放送データの情報に基づき、放送データを通信I/F部２９に送信する。
【００５０】
通信I/F部２９は、放送データ蓄積部２８から送信された放送データを、制御部２７から送信された放送中継機１０の情報に基づき、通信回線を介して放送中継機１０に送信する。
【００５１】
図１のＡ市の防災情報放送システムの例では、前述の説明の通り、集中制御機２０は、図５(ｃ)の放送波を受信する。この放送波のセグメント番号８、１０，１２のセグメントには、放送中継機１０ａ〜ｃに接続されたビデオカメラ１９ａ〜ｃの映像/音声がエンコードされた放送データが載っている。従って、これらを集中制御機２０の解読部２４で解読（デコード）し、提示部２５で提示することで、集中制御機２０のオペレータは、ビデオカメラ１９ａ〜ｃの映像/音声を視聴し、各避難所ａ〜ｃの被害状況を把握することが出来るようになる。そしてオペレータは、各避難所ａ〜ｃの被害状況に応じて、放送データ蓄積部に蓄積されている放送データから適切な放送データを選択し、各放送中継機１０ａ〜ｃで放送させることが出来る。例えば、避難所Ａで被害が発生していない場合は、避難所Ａの周辺住民に対し、避難所Ａへ避難を促す内容の放送データを送信中継機ａで放送させる。逆に、避難所Ａで被害が発生し避難するのに適していない場合は、避難所Ａの周辺住民に対し、避難所Ｂへ避難を促す内容の別の放送データを送信中継機ａで放送させる。
【００５２】
以上よりＡ市の防災情報放送システムによれば、各避難所の被害状況に応じた、適切な内容の放送データを放送し、市民がそれを視聴することができる。
【００５３】
なお、集中制御機２０の一変形例としては、オペレータによる確認、判断、操作を自動化した変形が考えられる。
【００５４】
図８は、この自動化した変形例に係る自動集中制御機３０の構成を示す。
【００５５】
自動集中制御機３０は、受信アンテナ３１、放送波受信部３２、セグメント分離部３３、解読部３４、決定部３６、制御部３７、放送データ蓄積部３８、通信I/F部３９を含んで構成される。
【００５６】
受信アンテナ３１、放送波受信部３２、セグメント分離部３３、放送データ蓄積部３８、通信I/F部３９の構成及び内容は、それそれ、集中制御機２０の、受信アンテナ２１、放送波受信部２２、セグメント分離部２３、放送データ蓄積部２８、通信I/F部２９と同様である。
【００５７】
解読部３４は、セグメント分離部３３から送信された放送データが正常か否かの判別、及び放送データの中身の解読により、当該放送データが追加された放送中継機が設置された避難所の被害状況等を判定する。そして、この判定結果を決定部３６に送信する。なおここで、放送データが異常と判別された際は、当該放送データが載っていたセグメントで中継対象データを追加する放送中継機が、災害の被害等により故障等したことが考えられる。
【００５８】
決定部３６は、解読部３４から送信された判定結果及び決定部３６が予め記憶している決定テーブルに基づき、各放送中継機１０で放送する放送データを決定し、決定した内容を制御部３７に送信する。図９は、図１のＡ市の防災情報放送システムの例に於ける、決定テーブルの例である。この決定テーブルの被害状況の列は、各避難所Ａ〜Ｃの被害状況（被害状況あり又は被害状況なし）を表している。また、放送データの列は、各放送中継機１０ａ〜ｃで放送する放送データを表している。ここで例えば、放送データＡは避難所Ａに、放送データＢは避難所Ｂに、放送データＣは避難所Ｃに避難を促す内容の放送データである。また放送データＺは自宅待機を促す内容の放送データである。決定部３６は、解読部３４から送信される判定内容に基づき、図９のいずれかの行（ケースNo.）を決定し、決定した行（ケースNo.）に於ける、各放送中継機１０ａ〜ｃの列に対応する放送データを、各放送中継機１０ａ〜ｃに送信することを決定する。例えば、解読部３４から送信された判定内容が、避難所Ａ、Ｂ、Ｃとも被害なしの場合は、決定テーブルのケースNo.1の行が決定され、放送中継機１０aには放送データＡを、放送中継機１０ｂには放送データＢを、放送中継機１０ｃには放送データＣを送信することを決定する。
【００５９】
制御部３７は、決定部３６からの送信内容に基づき、放送データ蓄積部３８に蓄積されている複数の放送データ中の決定部３６で決定された放送データの情報を放送データ蓄積部３８に送信すると共に、その指定された放送データの送信先となる放送中継機の情報を通信I/F部３９に送信する。
【００６０】
この変形例の自動集中制御機３０によれば、集中制御機２０と異なり、オペレータの介在なしに、予め定められた決定テーブルに従い、各避難所の被害状況に応じた、適切な放送データを各放送中継機１０ａ〜ｃに送信することができる。
【００６１】
更に、自動集中制御機３０の一変形例とし、各放送中継機１０で放送する放送データを決定する際の判断材料として、各放送中継機１０から送られる放送データに基づく情報の他に、以下の情報等を加えることが考えられる。
【００６２】
１つは、自動集中制御機３０と、各放送中継機１０との通信回線を介した通信状況である。自動集中制御機３０との通信が途絶している放送中継機１０が設置された避難所では、何らかの被害が発生していると仮定し、該放送中継機１０が設置された避難所への避難を促す内容の放送データは送信（放送）しないという拡張が考えられる。これを実現するために、例えば、通信I/F部３９は、放送中継機１０との通信の途絶を検知した際、該放送中継機１０の通信が途絶した旨を決定部３６に送信する。また、決定部３６が記憶する決定テーブルに、図１０に示す様に、各避難所の被害状況の他に、各放送中継機１０の通信状況の列を追加する。そして決定部３６は、解読部３４から送信された判定内容及び通信I/F部から送信された各送信機１０の通信状況から、決定テーブルの対応する行（ケースNo.）を決定し、決定した行（ケースNo.）に於ける、各放送中継機ａ〜ｃの列に対応する放送データを、各放送中継機１０ａ〜ｃに送信することを決定する。例えば、解読部３４から送信された判定内容が、避難所Ａ、Ｂが被害なし、Ｃが被害ありで、通信I/F部から送信された各送信機１０の通信状況が、１０ａ、１０ｃが通信ＯＫ、１０ｂが通信途絶の場合は、図１０の決定テーブルのケースNo.２−３の行が決定され、放送中継機１０ｃには放送データＡを送信することが決定される。これは、放送中継機Ｂに接続されたビデオカメラ１９ｂの映像/音声からは避難所Ｂは被害なしと判定されても、放送中継機１０ｂの通信が途絶している場合は、避難に適さない何らかの被害が発生していると仮定し、放送中継機１０ｃに送信する放送データを、避難所Ｂに避難を促す内容の放送データＢではなく、避難所Ａに避難を促す内容の放送データＡに設定したためである。
【００６３】
また別の１つは、Ｊ−ＡＬＥＲＴシステム等の他の防災システム等の情報である。他の防災システム等の情報は、図示しない入力部を介して決定部３６に送信される。決定部３６が記憶する決定テーブルには、他の防災システム等の情報に対応した列を図１０の説明で追加したのと同様に追加する。そして決定部３６は、解読部３４から送信された判定内容及び入力部から送信された他の防災システム等の情報から、決定テーブルの対応する行（ケースNo.）を決定し、決定した行（ケースNo.）に於ける、各放送中継機ａ〜ｃの列に対応する放送データを、各放送中継機１０ａ〜ｃに送信することを決定する。ここで放送データの欄に「なし」と記載されている場合、放送データを送信しない。
【００６４】
また別の１つは、各放送中継機１０から通信回線を介して自動集中制御機３０に送信される各種情報である。この各種情報には、例えば、各放送中継機１０に接続された水位計の測定値や、各放送中継機１０の電源状態（放送中継機１０が設置されている地域で停電等が発生した場合、放送中継機１０は商業用のＡＣ電源から、具備しているバッテリーに切り替わる）の情報等が考えられる。これらの情報は、通信I/F部３９から決定部３６に送信される。
【００６５】
上記の通り拡張することで、より多くの情報に基づき、各放送中継機１０で放送する放送データを決定することが可能となる。
[実施例２]
実施例２は実施例１と同様に、図１の防災情報放送システムに関するものである。以下、実施例２について実施例１と異なる部分を中心に説明する。
【００６６】
実施例１では、集中制御機２０の放送データ蓄積部２８に蓄積している複数の放送データから、被害状況に応じた最適な放送データを選択し、それを各放送中継機１０a〜１０ｃに通信回線を介して送信し、放送させている。通信回線の伝送スループットが十分にある場合は良いが、通信回線の輻輳等により、伝送スループットが十分に無い場合は、集中制御機２０から各放送中継機１０a〜１０ｃへの放送データの送信に時間を要し、最適な放送データがすぐに放送されないという問題が発生しうる。
【００６７】
実施例２は上記の問題を鑑みたものである。実施例２は、各放送中継機１０a〜１０ｃに複数の放送データを蓄積し、集中制御機２０からは、放送データを送信するのではなく、各放送中継機１０a〜１０ｃに蓄積された放送データを識別する情報（以下、放送データＩＤ）を送信するようにしたものである。そして、各放送中継機１０a〜１０ｃは、送信された放送データＩＤにより識別される、各放送中継機１０a〜１０ｃに蓄積されている放送データを放送するようにしたものである。放送データに比べ、放送データＩＤのデータサイズは通常極めて小さいため、通信回線の伝送スループットが放送データを送信するには十分で無い場合でも、放送データＩＤを送信するには十分である場合を期待できる。よって、最適な放送データがすぐに放送されないという問題が減少することを期待できる。
【００６８】
図１１は、本発明の実施例２に係る放送中継機５０の構成を示す。
【００６９】
放送中継機５０は、通信I/F部５１、放送データ蓄積部５２、受信アンテナ１２、放送波受信部１３、セグメント抽出部１４、エンコード部１５、セグメント合成部１６、放送波送信部１７、送信アンテナ１８を含んで構成される。
【００７０】
図１１に示す放送中継機５０の構成要素のうち、図２に示す放送中継機１０の構成要素と同一の符号が付されたものは、図２に示す同一の符号の構成要素と同様の機能を有する。
【００７１】
通信I/F部５１は、ＬＡＮ（Local Area Network）やInternet回線等の通信回線と接続され、同通信回線に接続された集中制御機２０から送信された放送データＩＤを受信する。また、この受信した放送データＩＤを放送データ蓄積部５２に送信する。
【００７２】
放送データ蓄積部５２は、複数の放送データを蓄積する。なお、各放送データには放送データＩＤが付されている。また、通信I/F部５１から送信された放送データＩＤにより識別される放送データを、セグメント合成部１６に送信する。
【００７３】
図１２は、本発明の実施例２に係る集中制御機６０の構成を示す。
【００７４】
集中制御機６０は、受信アンテナ２１、放送波受信部２２、セグメント分離部２３、解読部２４、提示部２５、操作部２６、制御部６１、通信I/F部６２を含んで構成される。
【００７５】
図１２に示す集中制御機６０の構成要素のうち、図７に示す集中制御機２０の構成要素と同一の符号が付されたものは、図７に示す同一の符号の構成要素と同様の機能を有する。
【００７６】
実施例２では、集中制御機６０のオペレータは、放送中継機５０に蓄積されている放送データの内容及びその放送データＩＤを予め知っており、操作部２６を操作して、その放送データＩＤ及びその放送データＩＤの送信先の放送中継機５０の情報を指定する。
【００７７】
制御部６１は、操作部２６からの操作内容に基づき、指定された放送データＩＤ及びその放送データＩＤの送信先の放送中継機５０の情報を通信I/F部６２に送信する。
【００７８】
通信I/F部６２は、制御部６１から送信された放送ＩＤを、制御部６１から送信された放送継機５０の情報に基づき、通信回線を介して放送中継機５０に送信する。
【００７９】
上述の説明では、図７で示した集中制御機２０を元に、実施例２に係る集中制御機６０の説明をした。この実施例２と同様な内容を図８で示した集中制御機３０に対して適用することが可能なこと、またそうした変形例も本発明の範囲にあることは、当業者には理解されるところである。
【００８０】
本発明は、上記した各部の機能を、コンピュータに実現させるためのプログラムを含むものである。これらのプログラムは、記録媒体から読み取られてコンピュータに取り込まれてもよいし、通信ネットワークを介して伝送されてコンピュータに取り込まれてもよい。
【符号の説明】
【００８１】
１０  放送中継機
１１  通信I/F部
１２  受信アンテナ
１３  放送波受信部
１４  セグメント抽出部
１５  エンコード部
１６  セグメント合成部
１７  放送波送信部
１８  送信アンテナ
１９  ビデオカメラ
２０  集中制御機
２１  受信アンテナ
２２  放送波受信部
２３  セグメント分離部
２４  解読部
２５  提示部
２６  操作部
２７  制御部
２８  放送データ蓄積部
２９  通信I/F部
３０  自動集中制御機
３１  受信アンテナ
３２  放送波受信部
３３  セグメント分離部
３４  解読部
３６  決定部
３７  制御部
３８  放送データ蓄積部
３９  通信I/F部
５０  放送中継機
５１  通信I/F部
５２  放送データ蓄積部
６０  集中制御機
６１  制御部
６２  通信I/F部
【図１】
2015046855.tif 000003
【図２】
2015046855.tif 000004
【図３】
2015046855.tif 000005
【図４】
2015046855.tif 000006
【図５】
2015046855.tif 000007
【図６】
2015046855.tif 000008
【図７】
2015046855.tif 000009
【図８】
2015046855.tif 000010
【図９】
2015046855.tif 000011
【図１０】
2015046855.tif 000012
【図１１】
2015046855.tif 000013
【図１２】
2015046855.tif 000014